(57)【要約】【課題】洗浄ノズルの着脱が容易な食器洗浄機を提供する。【解決手段】前面が開口され本体１内に設置された洗浄槽２、洗浄槽２の開口部を開閉する扉３、洗浄槽２内に出し入れ可能に収容された食器かご１７、この食器かご１７に着脱可能に装着された洗浄ノズル１１、及び洗浄ノズル１１に着脱可能に装着された導水管１０を有し、食器かごの後部側に下方に延設した吊り部材４０を設け、該吊り部材４０により導水管１０を回動可能に支持した。また、吊り部材４０をほぼＵ字状に形成すると共に、導水管１０の下面に支承部３６を設け、吊り部材４０の下部を支承部３６に支持した。【選択図】　　　　図１
2004105399.tif 000002
【特許請求の範囲】
【請求項１】
前面が開口され本体内に設置された洗浄槽、該洗浄槽の開口部を開閉する扉、前記洗浄槽内に出し入れ可能に収容された食器かご、該食器かごに着脱可能に装着された洗浄ノズル、及び該洗浄ノズルに着脱可能に装着された導水管を有し、
前記食器かごの後部側に下方に延設した吊り部材を設け、該吊り部材により前記導水管を回動可能に支持したことを特徴とする食器洗浄機。
【請求項２】
前記吊り部材をほぼＵ字状に形成すると共に、前記導水管の下面に支承部を設け、前記吊り部材の下部を前記支承部により支持したことを特徴とする請求項１記載の食器洗浄機。
【請求項３】
前記食器かごの前部側の下部に、ほぼコ字状で前記吊り部材とほぼ同じ高さの支持部材を設けたことを特徴とする請求項１又は２に記載の食器洗浄機。
【発明の詳細な説明】
【０００１】
【発明の属する技術分野】
本発明は、洗浄ノズルにより洗浄水を食器等に向けて噴射し、食器等を洗浄する食器洗浄機に関するものである。
【０００２】
【従来の技術】
食器洗浄機は、洗浄槽内の食器かごに収納された食器や調理器具等（以下、食器等という）に、洗浄ポンプによって加圧された洗浄水及びすすぎ水を洗浄ノズルにより噴射し、食器等を洗浄してすすいだのち、洗浄槽内に温風を送って乾燥させるようにしたものである。
【０００３】
従来のこの種食器洗浄機に、洗浄槽内に上レールと下レールを設けてそれぞれ上かご、下かごが上レールと下レールに沿って前方に移動できるように収容され、洗浄槽の下部に、ほぼ中央部に上ノズルへ洗浄水を給水する導水管が設けられた下ノズルを回転自在に設置したものがある（例えば、特許文献１参照）。
【０００４】
【特許文献１】
特開平９−１３５８０３号公報（第２頁、図１）
【０００５】
【発明が解決しようとする課題】
上記のような食器洗浄機においては、洗浄水が循環しているため、使用を重ねていくと、フィルターを設けていても循環路の一番開口の狭い部分である上下のノズルの噴射口が詰まることがある。このような場合は、ノズルを取外して清掃することが必要であるが上ノズルの着脱がきわめて面倒であった。
【０００６】
本発明は、上記の課題を解決するためになされたもので、洗浄ノズルの着脱が容易な食器洗浄機を提供することを目的としたものである。
【０００７】
【課題を解決するための手段】
本発明に係る食器洗浄機は、前面が開口され本体内に設置された洗浄槽、該洗浄槽の開口部を開閉する扉、前記洗浄槽内に出し入れ可能に収容された食器かご、該食器かごに着脱可能に装着された洗浄ノズル、及び該洗浄ノズルに着脱可能に装着された導水管を有し、前記食器かごの後部側に下方に延設した吊り部材を設け、該吊り部材により前記導水管を回動可能に支持したものである。
【０００８】
【発明の実施の形態】
［実施の形態１］
図１は本発明の実施の形態１に係る食器洗浄機の縦断面図、図２は図１の扉を引き出した状態の縦断面図、図３は図１の上導水管、上洗浄ノズル及び上食器がごの部分の説明図、図４は図３の左側面図である。
【０００９】
図１〜図４において、１は前面が開口された箱状の食器洗浄機の本体、２は前面が開口され、本体１内に設置された洗浄槽、３は本体１の開口部を開閉する扉で、その下部内面には断面コ字状の水受けトレー４が固定されている。５は例えば水道の蛇口に接続された給水口で、洗浄槽２内に開口している。６は本体１の上下方向に設置された給水管、７は給水管６に洗浄水を圧送し、また、洗浄槽２内の洗浄水を排水する給排水用の循環ポンプである。
【００１０】
８は給水管６に着脱可能に接続された下導水管で、下洗浄ノズル９が回転自在に連結されている。１０は同じく給水管６に着脱可能に接続された上導水管で、上洗浄ノズル１１が回転自在に連結されている。
１２は洗浄槽２の両側壁の下部に対向して設けられた下固定レール、１３は水受けトレー４の両側壁に対向して設けられ、ローラを介して下固定レール１２に沿って前後方向に移動する下スライドレールで、水受けトレー４には下食器かご１６が載置されている。
【００１１】
１４は洗浄槽２の両側壁の上部に対向して設けられた上固定レール、１５はローラを介して上固定レール１４に沿って前後方向に移動する上スライドレールで、この上スライドレール１５には上食器かご１７が着脱自在に取付けられており、また、上食器かご１７には、上洗浄ノズル１１と一体化された上導水管１０が連結されている。１９は乾燥用の送風ファン、２０は送風ファン１９からの風路、２１は風路２０の吐出口に設けた温水用兼乾燥のヒータ、２２はフィルター、２３ａ，２３ｂは下食器かご１６、上食器かご１７にそれぞれ収納された食器等である。
【００１２】
次に、上導水管１０、上洗浄ノズル１１及び食器かご１７の連結構造について、図６の斜視図、図７の縦断面図及び図７のＡ−Ａ断面である図８により説明する。上導水管１０の端部はほぼ直角に上方に折曲げられて連結部２５が形成されており、その中心部にはねじ穴２７を有するボス２６が設けられている。そして、連結部２５の上部外周から上面のボス２６の外周にかけて複数の開口部（給水穴）２８が設けられている。
【００１３】
２９は中心部に貫通穴を有し、上洗浄ノズル１１の上面の長手方向のほぼ中央部に設けた穴３０に嵌合されたほぼＴ字状のスペーサである。３１は固定部材で、中心部にはボルト挿通穴３２が設けられており、両端部には上食器かご１７の隣接する線材１７ａ，１７ｂに対応して、下方に開口するほぼコ字状の係合部３３ａ，３３ｂが設けられている。３４はボルトである。
【００１４】
上記のような上導水管１０、上洗浄ノズル１１及び上食器かご１７を一体的に連結するには、先ず、上洗浄ノズル１１の上面に設けた穴３０にスペーサ２９を装着する。そして、上洗浄水ノズル１１の下面に穴３０と対向して設けた穴３０ａにシール材３０ｂを介して上導水管１０の連結部２５を挿入する。
ついで、上食器かご１７の底部の隣接する線材１７ａ，１７ｂに固定部材３１の係合部３３ａ，３３ｂを係合させ、ボルト挿通穴３２からスペーサ２９の貫通穴に挿通したボルト３４を、上導水管１０を設けたボス２６のねじ穴２７に螺入して、固定する。これにより、上導水管１０、上洗浄ノズル１１及び上食器かご１７は、一体的に、かつ上洗浄ノズル１１はスペーサ２９及びシール材３０ｂを中心に回転自在に取付けられる。
【００１５】
再び図１〜図４において、４０は上食器かご１７の後部側に設けた線材からなるほぼＵ字状の吊り部材で、上導水管１０に設けた支承部３６に連結されている。この点についてさらに詳説すると、図５に示すように、上導水管１０の後部側の下面には、吊り部材４０に対応した位置の幅方向において下方に開口する溝３７を有する支承部３６が設けられており、吊り部材４０の下端部を支承部３６の溝３７内に挿入し、蓋板３８により溝３７を閉じたものである。これにより、上導水管１０は吊り部材４０に上下に回動可能に懸架される。
【００１６】
次に、上記のように構成した食器洗浄機の作用を説明する。食器等２３ａ，２３ｂ（以下、単に２３と記すことがある）を洗浄する場合は、先ず、図２に示すように扉３を引き出す。扉３には下食器かご１６が載置された水受けトレー４が固定されているので、下食器かご１６も同時に引き出される。このとき、下導水管８は給水管６から引き抜かれ、下洗浄ノズル９と一体になって下食器かご１６と共に移動する。この状態で下食器かご１６に食器等２３ａを収納する。ついで、上食器かご１７を手前に引き出して食器等２３ｂを収納する。このとき、上導水管１０は給水管６から引き抜かれ、上洗浄ノズル１１と一体になって上食器かご１７と共に移動する。
【００１７】
食器等２３の収納が終ったときは、扉３を押して下食器かご１６及び上食器かご１７を洗浄槽２内に戻す。これにより、再び図１の状態に戻り、下導水管８及び上導水管１０は給水管６に接続される。この状態で操作部（図示せず）により洗浄コースを選択し、洗浄をスタートする。
【００１８】
洗浄が開始されると、先ず給水口５から洗浄槽２内に所定の水位まで洗浄水が給され、循環ポンプ７により洗浄槽２内の洗浄水が給水管６に圧送され、下導水管８、上導水管１０を介して下浄水ノズル９及び上洗浄ノズル１１から食器等２３に向けて噴射され、噴射の反力により回転しながら食器等２３を洗浄する。食器等２３を洗浄した洗浄水は洗浄槽２の底部に落下し、フィルター２２を通って再び循環ポンプ７により加圧されて洗浄槽２内を循環する。
【００１９】
このような洗浄工程が終ったときはすすぎ工程に移行し、すすぎ水を洗浄工程の場合と同様に循環させて、食器等２３をすすぐ（このすすぎ工程は数回繰り返される）。すすぎ工程が終了したときは、洗浄槽２内の水を排水し、ヒータ２１及び送風ファン１９に通電し、送風ファン１９により送風路２０内を送風された外気はヒータ２１により温風化され、食器等２３及び洗浄槽２内を乾燥することにより、食器等２３の洗浄の全工程が終了する。
全工程が終了して食器等２３を取出す場合は、先ず、扉３を引き出して下食器かご１６内の食器等２３ａを取出し、ついで上食器かご１７を引き出して食器等２３ｂを取出せばよい。
【００２０】
このような食器洗浄機において、上洗浄ノズル１１の噴射口が詰ったりして掃除しようとする場合は、ボルト３４を緩めて上導水管１０のボス２６から引き抜けば、上導水管１０、上洗浄ノズル１１及び上食器かご１７を、図９に示すように分離することができる。このとき、上導水管１０は支承部３６を中心に自重により時計回り方向に回動するので、上食器かご１７を外すことなく、上洗浄ノズル１１のみを上導水管１０に干渉されることなく容易に取出すことができる。
【００２１】
［実施の形態２］
図１０は本発明の実施の形態２に係る食器洗浄機の扉を引き出した状態の断面図、図１１は図１０の要部断面図である。なお、実施の形態１と同じ部分にはこれと同じ符号を付し、説明を省略する。
本実施の形態は、実施の形態１の上食器かご１７の前面側（扉３側）の下部に、線材からなるほぼコ字状の支持部材４１を設けたものである。この支持部材４１の幅は上食器かご１７の幅とほぼ等しく、高さは吊り部材４０の高さとほぼ等しく形成されている。すなわち、吊り部材４０の高さと等しいか、又は吊り部材４０に支承部３６の蓋板３８の板厚を加えた高さと等しく、両者の下端部がほぼ同一平面に位置するようになっている。
【００２２】
上記のように構成した本実施の形態においては、支持部材４１は上食器かご１７を引き出すときの手掛けとして利用することができる。また、上導水管１０、上洗浄ノズル１１及び上食器かご１７を一体にして洗浄槽２から取出したときは、図１２に示すように、吊り部材４０と支持部材４１を脚として流し台等の上に載置すれば、上食器かご１７をほぼ水平に保持することができ、収納した食器等が損傷するおそれがない。
【００２３】
また、本実施の形態においては、支持部材４１の下端部が上導水管１０の下面より下方に位置しているので、扉３を閉じたときに、食器等が支持部材４１の下を通過すればそのまま扉を閉じることができるが、大きい食器等が支持部材４１に当ったときは、そのまま扉を閉じると食器等が上導水管１０に当って破損するおそれがあるという、目印にすることができる。
【００２４】
上記の説明では、図示の食器洗浄機に本発明を実施した場合を示したが、本発明はこれに限定するものではなく、他の構成の食器洗浄機にも実施することができる。
【００２５】
【発明の効果】
本発明に係る食器洗浄機は、本体内に設置された洗浄槽、この洗浄槽の開口部を開閉する扉、洗浄槽内に出し入れ可能に収容された食器かご、この食器かごに着脱可能に装着された洗浄ノズル及びこの洗浄ノズルに着脱可能に装着された導水管を有し、食器かごの後部側に設けた吊り部材により導水管を回動可能に支持したので、食器かごを取り出すことなく、洗浄ノズルのみを容易に取り出すことができ、作業能率を向上することができる。
【図面の簡単な説明】
【図１】本発明の実施の形態１に係る食器洗浄機の縦断面図である。
【図２】図１の食器洗浄機の扉を引き出した状態の断面図である。
【図３】図１の要部の説明図である。
【図４】図３の左側面図である。
【図５】図３の吊り部材による上導水管の支持状態を示す説明図である。
【図６】図３の一部を省略した拡大断面斜視図である。
【図７】図６の要部の断面図である。
【図８】図７のＡ−Ａ断面図である。
【図９】実施の形態１の作用説明図である。
【図１０】本発明の実施の形態２に係る食器洗浄機の扉を引き出した状態の断面図である。
【図１１】図１０の要部断面図である。
【図１２】実施の形態２の作用説明図である。
【符号の説明】
１　食器洗浄機の本体、２　洗浄槽、３　扉、８　下導水管、９　下洗浄ノズル、１０　上導水管、１１　上洗浄ノズル、１６　下食器かご、１７　上食器かご、３１　固定部材、３６　支承部、４０　吊り部材、４１　支持部材。
【図１】
2004105399.tif 000003
【図２】
2004105399.tif 000004
【図３】
2004105399.tif 000005
【図４】
2004105399.tif 000006
【図５】
2004105399.tif 000007
【図６】
2004105399.tif 000008
【図７】
2004105399.tif 000009
【図８】
2004105399.tif 000010
【図９】
2004105399.tif 000011
【図１０】
2004105399.tif 000012
【図１１】
2004105399.tif 000013
【図１２】
2004105399.tif 000014